(57)【要約】      （修正有）【課題】内容物を落下、排出させた場合でも、内袋が大きく垂下することのないフレキシブルコンテナと、それに用いる外袋を提供する。【解決手段】外袋２と内袋３を有するフレキシブルコンテナ１であって、前記外袋２の内面と前記内袋３の外面とが両面接着テープ１５ａ、１５ｂ等によって互いに接着されているフレキシブルコンテナ、及び、その内面に一方の接着面が接着された両面接着テープ１６ａ、１６ｃ等を有するフレキシブルコンテナの外袋を備える。【選択図】図１
0003182352.tif 000002
【実用新案登録請求の範囲】
【請求項１】
外袋と内袋を有するフレキシブルコンテナであって、前記外袋の内面と前記内袋の外面とが両面接着テープによって互いに接着されているフレキシブルコンテナ。
【請求項２】
前記外袋が、少なくともその胴部及び底部の内面で、前記内袋の外面と接着されている請求項１記載のフレキシブルコンテナ。
【請求項３】
前記外袋の胴部の内面と前記内袋の外面との接着位置が、内容物を充填したときの前記外袋の胴部の高さの１／２よりも上の位置である請求項２記載のフレキシブルコンテナ。
【請求項４】
その内面に一方の接着面が接着された両面接着テープを有するフレキシブルコンテナの外袋。
【請求項５】
前記両面接着テープが、少なくとも胴部及び底部の内面に接着されている請求項４記載のフレキシブルコンテナの外袋。
【請求項６】
前記胴部の内面に前記両面接着テープが接着されている位置が、内容物を充填したときの前記胴部の高さの１／２よりも上の位置である請求項５記載のフレキシブルコンテナの外袋。
【考案の詳細な説明】
【技術分野】
【０００１】
本考案は、フレキシブルコンテナとその外袋に関し、詳細には、外袋と内袋を有するフレキシブルコンテナにおいて、フレキシブルコンテナの下部開口から内容物を落下、排出したときに、内袋が前記下部開口から垂下するのを防止したフレキシブルコンテナと、それに用いる外袋に関する。
【背景技術】
【０００２】
粒状物や粉体を運搬、貯蔵する容器として、従来からフレキシブルコンテナが広く用いられている。フレキシブルコンテナは比較的低コストで自重も軽く、しかも不使用時には折り畳むことができるので極めて便利な容器である。しかし、運搬、貯蔵する内容物の種類によっては、フレキシブルコンテナを構成している素材を透過する水分や、生地素材の縫い目などから浸透する水分によって内容物が吸湿し変質する恐れがある。このため、吸湿性の内容物を運搬、貯蔵する場合には、ゴム引きして防水性を高めた素材や樹脂膜等を用いて水分の透過、浸透を防止したフレキシブルコンテナを使用することが提案されている。ところが、ゴム引きした素材や樹脂膜等を用いて製造されたフレキシブルコンテナは高価なものとなり、フレキシブルコンテナ本来の使い勝手の良さが失われるという欠点がある。
【０００３】
上記欠点を解消すべく、外袋と、水分が透過しない素材で形成された内袋の二重構造とすることにより、防水性を高めたフレキシブルコンテナが提案されている（例えば、特許文献１、２参照）。斯かる二重構造のフレキシブルコンテナであれば、ターポリンなどの素材で形成された外袋の内側に水分を透過させない例えばナイロン等で形成された内袋を挿入するだけであるので、吸湿性のある内容物の運搬、貯蔵にも適したフレキシブルコンテナを低コストで製造することができ、１回限りの使用に供されるいわゆるワンウェイフレコンとしても使用することができるという利点が得られる。
【０００４】
しかしながら、本考案者らが経験したところによれば、上記のように外袋の内側に内袋を挿入しただけの二重構造のフレキシブルコンテナにおいては、フレキシブルコンテナの下部開口から内容物を落下、排出するときに、内容物の流れに引きずられて内袋が外袋から離脱し、下部開口から大きく垂下して作業の妨げとなることがあった。
【先行技術文献】
【特許文献】
【０００５】
【特許文献１】特開２００５−２２７３６号公報
【特許文献２】特開２０１２−２０１４０７号公報
【考案の概要】
【考案が解決しようとする課題】
【０００６】
本考案は、上記のような従来の二重構造のフレキシブルコンテナが有する欠点を解消するために為されたもので、吸湿性のある内容物を運搬、貯蔵するのに適した二重構造のフレキシブルコンテナにおいて、フレキシブルコンテナの下部開口から内容物を落下、排出させた場合でも、内袋が下部開口から大きく垂下することのないフレキシブルコンテナと、そのようなフレキシブルコンテナに用いられる外袋を提供することを課題とする。
【課題を解決するための手段】
【０００７】
上記の課題を解決すべく鋭意試行錯誤を重ねた結果、本考案者らは、フレキシブルコンテナを構成する外袋と、防湿のために挿入されている内袋とを、適宜の位置で両面接着テープで接着することによって、内容物の落下、排出時にも、内袋の垂下を大幅に減少させることができることを見出した。
【０００８】
すなわち、本考案は、外袋と内袋を有するフレキシブルコンテナであって、前記外袋の内面と前記内袋の外面とが両面接着テープによって互いに接着されているフレキシブルコンテナを提供することによって上記の課題を解決するものである。
【０００９】
上記のとおり、本考案のフレキシブルコンテナは、外袋の内面と内袋の外面とが両面接着テープで接着されているので、フレキシブルコンテナの下部開口から内容物を落下、排出する場合でも内袋が外袋から離脱することがなく、内袋が下部開口から大きく垂下することがない。
【００１０】
外袋の内面と内袋の外面とを接着する位置は、内容物の落下、排出時に内袋が外袋から離脱しない位置であれば原則としてどの位置であっても良いが、内容物の落下、排出時に内袋が外袋から離脱して垂下するのを有効に防止するという観点からは、外袋は少なくともその胴部及び底部の内面で内袋の外面と接着されているのが好ましい。また、内容物の落下、排出時に内袋が外袋から離脱して垂下するのをより有効に防止するという観点からは、外袋の胴部の内面と内袋の外面との接着位置は、内容物を充填したときの外袋の胴部の高さの１／２よりも上の位置に選ばれるのが好ましい。
【００１１】
また、本考案は、その内面に一方の接着面が接着された両面接着テープを有するフレキシブルコンテナの外袋を提供することによって上記の課題を解決するものである。すなわち、フレキシブルコンテナの内袋の内部に運搬、貯蔵すべき内容物を充填すると、内袋は内容物の圧力によって膨張して外袋の内面と密着することになるので、外袋の内面の所定位置に予め両面接着テープをその一方の接着面を接着させて取り付けておくことにより、外袋内に内袋を挿入した後、内袋内に内容物を充填する作業によって、内袋と外袋とを密着させ、外袋の内面の所定位置に内袋の外面を接着させることができる。
【００１２】
上述したとおり、内袋の外面は、外袋の少なくとも胴部及び底部の内面と接着されるのが好ましく、内袋の外面と接着する外袋の胴部の位置は、内容物を充填したときの外袋の胴部の高さの１／２よりも上の位置に選ばれるのが好ましい。したがって、両面接着テープは、外袋の少なくとも胴部及び底部の内面に一方の接着面を接着させることによって外袋の内面に取り付けられるのが好ましく、その胴部の内面の位置は、内容物を充填したときの外袋の胴部の高さの１／２よりも上の位置であるのがより好ましい。
【００１３】
本考案のフレキシブルコンテナは、吸湿して変質する恐れのある粒状若しくは粉状の材料を運搬、貯蔵するのに適しており、例えば、ＭｇＯやＣａＯなどを含んだ耐火物原料、特に、ＭｇＯやＣａＯ等を主原料として製造された吹付材やスタンプ材の運搬、貯蔵に適している。中でも、ＭｇＯやＣａＯ等を主原料として製造された吹付材、すなわち、電気炉、取鍋、タンディッシュなどの内壁や床面に吹き付けられる吹付材には、バインダーとして吸湿性のある珪酸ソーダ、珪酸カリ等の珪酸塩、リン酸ソーダ、リン酸カリ等のリン酸塩が配合されており、これらのバインダーも吸湿して変質し易いので、本考案のフレキシブルコンテナは、これら吹付材の貯蔵、運搬に使用して特に好適である。
【考案の効果】
【００１４】
本考案のフレキシブルコンテナによれば、外袋の内面に両面接着テープによって内袋を接着させるだけの極めて簡単な構成で、下部開口から内容物を落下、排出しても、内袋が下部開口から大きく垂下することがなく、作業の妨げになることがないという利点が得られる。また、本考案のフレキシブルコンテナの外袋によれば、外袋の内面の所定位置に両面接着テープをその一方の接着面を接着させて取り付けておくことにより、外袋内に内袋を内装した後、内袋に内容物を充填するだけで、内袋が自然と膨らんで外袋の内面と密着して外袋の内面と内袋の外面とが接着され、極めて簡単に本考案のフレキシブルコンテナを製造することができるという利点が得られる。本考案のフレキシブルコンテナは、極めて簡単な構造で安価に製造することができるので、外袋と内袋とを有する従来の二重構造のフレキシブルコンテナと同様に、使い捨てができるワンウェイフレコンとして、吸湿防止や汚染防止が必要な粒状又は粉状の材料の貯蔵、運搬に有用である。
【図面の簡単な説明】
【００１５】
【図１】本考案のフレキシブルコンテナの一例を示す正面図である。
【図２】図１の底面図である。
【図３】本考案のフレキシブルコンテナの他の一例を示す正面図である。
【図４】図３の底面図である。
【考案を実施するための形態】
【００１６】
以下、図面を用いて本考案を詳細に説明するが、本考案が図示のものに限られないことは勿論である。
【００１７】
図１は、本考案のフレキシブルコンテナの一例を示す正面図である。図１において、１は本考案のフレキシブルコンテナであり、フレキシブルコンテナ１は外袋２と、外袋２内に内装された内袋３とを備えている。外袋２は、通常のワンウェイフレコンで使用される素材と同様の素材で構成されていれば良く、例えば、塩ビターポリンやＥＶＡターポリンなどのシート材を用いて構成される。内袋３は、水分を透過させない材料で構成されていれば良く、例えばナイロンなどのシート状の材料で構成される。
【００１８】
図１において、４は外袋２と同じ素材で形成された上部筒体であり、上部筒体４の下部開口部は外袋２の上部開口部に固着され、上部筒体４の上部開口部５は内容物の充填口を形成している。上部筒体４の中間部には縛り紐６が取り付けられており、上部筒体４は縛り紐６を引き絞ってその中間部を閉じ、先端部を巻き込んで、外袋２の上部開口部の内側に押し込むことができるように構成されている。
【００１９】
７ａ、７ｂ、７ｃ、７ｄは蓋体であり、本例のフレキシブルコンテナ１においては、円周方向に４つに分割された蓋体７ａ、７ｂ、７ｃ、７ｄ（但し、蓋体７ｄは図１には表れていない）として外袋２の上部開口部の周囲で、上部筒体４よりも外側に取り付けられている。８は、蓋体７ａ、７ｂ、７ｃ、７ｄの先端部分に挿通された締めロープである。上述したように、上部筒体４の中間部を縛り紐６を引き絞って閉じ、上部筒体４の先端部を巻き込んで外袋２の上部開口部の内側に押し込んだ後、締めロープ８を引き絞って蓋体７ａ、７ｂ、７ｃ、７ｄを開口中心に向けて閉じ、外袋２の上部開口部の内側に押し込んだ上部筒体４の上を覆うことによって、外袋２の上部開口部は閉塞される。
【００２０】
９は、外袋２と同じ素材で形成された下部筒体であり、下部筒体９は、上下が逆になる以外は上部筒体４と同様の部材である。すなわち、下部筒体９の上部開口部は外袋２の下部開口部に固着され、下部筒体９の下部開口部１０は内容物を落下、排出させる排出口を形成している。下部筒体９の中間部には縛り紐１１が取り付けられており、下部筒体９は縛り紐１１を引き絞ってその中間部を閉じ、先端部を巻き込んで、外袋２の下部開口部の内側に押し込むことができるように構成されている。
【００２１】
１２ａ、１２ｂ、１２ｃ、１２ｄは蓋体であり、前述した蓋体７ａ、７ｂ、７ｃ、７ｄと同様に、円周方向に４つに分割された蓋体１２ａ、１２ｂ、１２ｃ、１２ｄ（但し、蓋体１２ｄは図１には表れていない）として外袋２の下部開口部の周囲で、下部筒体９よりも外側に取り付けられている。１３は、蓋体１２ａ、１２ｂ、１２ｃ、１２ｄの先端部分に挿通された締めロープである。下部筒体９の中間部を縛り紐１１を引き絞って閉じ、下部筒体９の先端部を巻き込んで外袋２の下部開口部の内側に押し込んだ後、締めロープ１３を引き絞って蓋体１２ａ、１２ｂ、１２ｃ、１２ｄを開口中心に向けて閉じ、外袋２の下部開口部の内側に押し込んだ下部筒体９の下側を覆うことによって、外袋２の下部開口部は閉塞される。１４、１４はクレーンフック等を掛止する吊りベルトである。
【００２２】
本例において、内袋３は上部筒体４及び下部筒体９の部分を含めた外袋２と同様の形状を有しており、内袋３は、その上端部及び下端部を、それぞれ上部筒体４及び下部筒体９の内側に位置させた状態で外袋２に内装される。後述するように、運搬、貯蔵すべき内容物を内袋３内に充填したときに、内袋３の外面が外袋２の内面と密着するように、内袋３の外袋２の胴部に対応する部分の直径は、外袋２の胴部の直径よりも若干大きめに形成するのが好ましい。なお、本例においては、上部筒体４及び下部筒体９に対応する内袋３の上端部及び下端部は、外袋２の胴部に対応する部分よりも小径に形成されているが、内袋３は、上端から下端までが同じ直径の寸胴状に形成されていても良い。
【００２３】
１５ａ、１５ｂ、１５ｃ、１５ｄ（但し、１５ｄは図１には表れていない）は外袋２の胴部の内面と内袋３の外面とを接着する両面接着テープ、１６ａ、１６ｂ、１６ｃ、１６ｄ（但し、１６ｂ、１６ｄは図１には表れていない）は外袋２の底面の内面と内袋３の外面とを接着する両面接着テープである。図１に示すとおり、外袋２の胴部の内面と内袋３の外面とを接着する両面接着テープ１５ａ〜１５ｄは、内容物を充填したときの外袋２の胴部の高さをＨとして、（１／２）Ｈよりも高い位置に取り付けられている。このため、外袋２の胴部内面は、内容物を充填したときの外袋２の胴部の高さの１／２よりも高い位置で内袋３の外面と接着されることになる。
【００２４】
図２には図１の底面図であり、図１におけると同じ部材には同じ符号を付してある。図２に示すとおり、外袋２の胴部の内面と内袋３とを接着する両面接着テープ１５ａ〜１５ｄは、外袋２の胴部の内周を四等分した位置に取り付けられている。また、外袋２の底面の内面と内袋３とを接着する両面接着テープ１６ａ〜１６ｄも、外袋２の底面に互いに９０度の間隔をあけて対向する位置に取り付けられている。これにより、外袋２と内袋３とは、外袋２の胴部及び底面の内面と内袋３の外面とで互いに接着されることになる。なお、図１及び図２に示した両面接着テープ１５ａ〜１５ｄ、及び１６ａ〜１６ｄの形状や取付位置はあくまでも一例であって、外袋２の胴部及び底面で、好ましくは胴部における内容物を充填したときの外袋２の高さの１／２よりも上の位置及び底面で、外袋２と内袋３とが接着される限り、両面接着テープ１５ａ〜１５ｄ、及び１６ａ〜１６ｄの形状や取付位置は図示のものに限られない。
【００２５】
図１及び図２に示すフレキシブルコンテナは以下のようにして製造される。すなわち、例えば、通常用いられるワンウェイフレコンの外袋２の内面の所定位置に、両面接着テープ１５ａ〜１５ｄ及び１６ａ〜１６ｄをその一方の接着面で接着することによって取り付け、両面接着テープを取り付けた外袋２を準備する。次に、その準備された外袋２の内部に内袋３を内装し、内袋３の下端部を下部筒体９の内部に位置させた状態で縛り紐１１を引き絞り、下部筒体９を閉じ、下部筒体９の先端部を内袋３の下端部とともに巻き込んで外袋２の下部開口部の内側に押し込んだ後、締めロープ１３を引き絞って蓋体１２ａ〜１２ｄを開口中心に向けて閉じ、外袋２の下部開口部を閉塞する。
【００２６】
なお、下部筒体９を内袋３の下端部とともに引き絞って巻き込む代わりに、内袋３を内装しない状態で、下部筒体９だけを縛り紐１１で引き絞って閉じ、外袋２の下部開口部の内側に押し込むようにしても良い。内袋３は、次いで、締めロープ１３を引き絞って蓋体１２ａ〜１２ｄを開口中心に向けて閉じた後、下端部を折り畳み、有底とした状態で外袋２内に挿入すれば良い。
【００２７】
外袋２の下部開口部を閉塞した後、運搬、貯蔵すべき内容物を上部筒体４の上部開口部５から内袋３内に投入し、充填する。内容物が充填されると内袋３の底面は外袋２の底面と密着し、外袋２の底面の内面と内袋３の底面の外面とは両面接着テープ１６ａ〜１６ｄによって互いに接着される。また、内容物の充填が進むに連れて内袋３は膨張し、外袋２の胴部と密着する。これにより、外袋２の胴部の内面と内袋３の内面とは両面接着テープ１５ａ〜１５ｄによって互いに接着されることになる。斯くして本考案のフレキシブルコンテナ１が製造される。
【００２８】
上記のように内容物を充填することによって外袋２と内袋３とを接着する代わりに、内容物が充填されていない状態で、内袋３外面の所定部分を外袋２内面に取り付けられた両面接着テープ１５ａ〜１５ｄ及び１６ａ〜１６ｄと密着させて、外袋２と内袋３とを互いに接着し、本考案のフレキシブルコンテナ１を製造するようにしても良い。いずれにせよ、内容物の充填が終わると、上部筒体４はその内部に位置する内袋３の上端部とともに縛り紐６によって閉じられ、また、締めロープ８によって蓋体７ａ〜７ｄも閉じられて、外袋２の上部開口部は閉塞される。
【００２９】
運搬、貯蔵が終了すると、本考案のフレキシブルコンテナ１の外袋２の下部開口部は上記と逆の手順によって開放される。すなわち、締めロープ１３を緩めて蓋体１２ａ〜１２ｄを開いた後、縛り紐１１を緩めて下部筒体９を開状態にすると、外袋２の下部開口部は開放され、充填されていた内容物は、外袋２の下部開口部から落下、排出される。このとき、内袋３の外面は、外袋２の胴部及び底面の内面と両面接着テープ１５ａ〜１５ｄ及び１６ａ〜１６ｄで接着されているので、内容物の落下、排出にともなって内袋３が外袋２の下部開口部から垂下することがない。
【００３０】
図３は本考案のフレキシブルコンテナの他の一例を示す正面図、図４はその底面図であり、図１及び図２におけると同じ部材には同じ符号を付してある。本例のフレキシブルコンテナ１と図１及び図２に示したフレキシブルコンテナ１との相違は、本例のフレキシブルコンテナ１においては外袋２が有底であり、下部筒体９及び下部の蓋体１２ａ〜１２ｄが存在しない点、及び、外袋２の底面の内面に、両面接着テープ１６ａ〜１６ｄに加えて、それらよりも底面の中心に近い箇所で正方形の各辺を構成する位置に４枚の両面接着テープ１７ａ〜１７ｄが取り付けられている点にある。それらの相違点以外は、先に示したフレキシブルコンテナ１と同じであり、本例のフレキシブルコンテナ１においても、外袋２の内面は、胴部及び底面で内袋３の外面と接着されている。また、外袋２の胴部内面が内袋３の外面と接着される位置は、内容物を充填したときの外袋２の胴部の高さをＨとして、（１／２）Ｈよりも高い位置にある。
【００３１】
なお、図３及び図４に示した両面接着テープ１５ａ〜１５ｄ、１６ａ〜１６ｄ、及び１７ａ〜１７ｄの形状や取付位置はあくまでも一例であって、外袋２の胴部及び底面で、好ましくは胴部における内容物を充填したときの外袋２の高さの１／２よりも上の位置及び底面で、外袋２と内袋３とが接着される限り、両面接着テープ１５ａ〜１５ｄ、１６ａ〜１６ｄ、及び１７ａ〜１７ｄの形状や取付位置は図示のものに限られないことは言うまでもない。
【００３２】
図３及び図４に示すフレキシブルコンテナは以下のようにして製造される。すなわち、例えば、通常用いられるワンウェイフレコンの外袋２の内面の所定位置に、両面接着テープ１５ａ〜１５ｄ、１６ａ〜１６ｄ、及び１７ａ〜１７ｄをその一方の接着面で接着することによって取り付け、両面接着テープを取り付けた外袋２を準備する。次に、その準備された外袋２の内部に、下端部を折り畳んだ内袋３を内装する。本例のフレキシブルコンテナ１においては、外袋２は有底であり、下部開口部を有していないので、下部開口部を閉塞する必要はなく、下端部を折り畳んで有底とした内袋２を内装するだけで良い。
【００３３】
外袋２に内袋３を内装した後、運搬、貯蔵すべき内容物を上部筒体４の上部開口部５から内袋３内に投入し、充填する。内容物が充填されると内袋３の底面は外袋２の底面と密着し、外袋２の底面の内面と内袋３の底面の外面とは両面接着テープ１６ａ〜１６ｄ及び１７ａ〜１７ｄによって互いに接着される。また、内容物の充填が進むに連れて内袋３は膨張し、外袋２の胴部と密着する。これにより、外袋２の胴部の内面と内袋３の内面とは両面接着テープ１５ａ〜１５ｄによって互いに接着されることになる。斯くして本考案のフレキシブルコンテナ１が製造される。
【００３４】
上記のように内容物を充填することによって外袋２と内袋３とを接着する代わりに、内容物が充填されていない状態で、内袋３外面の所定部分を外袋２内面に取り付けられた両面接着テープ１５ａ〜１５ｄ、１６ａ〜１６ｄ、及び１７ａ〜１７ｄと密着させて、外袋２と内袋３とを互いに接着し、本考案のフレキシブルコンテナ１を製造するようにしても良い。いずれにせよ、内容物の充填が終わると、上部筒体４はその内部に位置する内袋３の上端部とともに縛り紐６によって閉じられ、また、締めロープ８によって蓋体７ａ〜７ｄも閉じられて、外袋２の上部開口部は閉塞される。
【００３５】
フレキシブルコンテナ１から内容物を排出するには、外袋２の底面を内袋３とともに切り裂けば良い。充填されていた内容物はその切り裂かれた開口部から落下、排出される。このとき、内袋３の外面は、外袋２の胴部及び底面の内面と両面接着テープ１５ａ〜１５ｄ、１６ａ〜１６ｄ、及び１７ａ〜１７ｄで接着されているので、内容物の落下、排出にともなって内袋３が外袋２の下部開口部から垂下することがない。
【００３６】
以上のとおり、本考案のフレキシブルコンテナ１においては、外袋２と内袋３とが両面接着テープによって互いに接着されているので、内容物を下部開口部から落下、排出させても、内袋２が下部開口部から垂下することがなく、作業を妨げることがない。また、予め所定の位置にその片面を接着させて両面接着テープを取り付けた外袋２を用意しておくことにより、内容物の充填現場で適宜容易に本考案のフレキシブルコンテナ１を製造、使用することが可能となる。
【産業上の利用可能性】
【００３７】
以上説明したように、本考案のフレキシブルコンテナによれば、安価なワンウェイフレコンを用いて吸湿性のある内容物を運搬、貯蔵することができるともに、内容物の排出時に内袋が垂下して作業を妨げることがない。また、本考案の外袋によれば、上記のような本考案のフレキシブルコンテナを作業現場で容易に製造することが可能となる。本考案は、粒状物及び粉体のフレキシブルコンテナによる運搬、貯蔵をより容易とするものであり、極めて優れた産業上の利用可能性を有するものである。
【符号の説明】
【００３８】
１            フレキシブルコンテナ
２            外袋
３            内袋
４            上部筒体
５            上部開口部
６、１１      縛り紐
７ａ〜７ｄ、１２ａ〜１２ｄ    蓋体
８、１３      締めロープ
９            下部筒体
１０          下部開口部
１４          吊りベルト
１５ａ〜１５ｄ、１６ａ〜１６ｄ、１７ａ〜１７ｄ    両面接着テープ
【図１】
0003182352.tif 000003
【図２】
0003182352.tif 000004
【図３】
0003182352.tif 000005
【図４】
0003182352.tif 000006